(57)【要約】  【課題】かばんやペンケース等を持ち歩かないような状況で、サージカルテープ等のテープを携帯しその場でテープを切断して使用するにあたって、テープカッターを必要な際にすぐに使用できるようにするための構成を実現する。  【解決手段】テープカッターＣ１が、テープＴ１を切断するための切断要素である刃Ａ１と、この刃Ａ１を保持するテープカッター本体Ａ２とを具備してなり、前記テープカッター本体Ａ２が、紐Ｓ１を連結する連結部Ａ３を備える構成を採用する。【選択図】図１
2020007113.tif 000002
【特許請求の範囲】
【請求項１】
テープを切断するための切断要素と、この切断要素を保持するテープカッター本体とを具備してなり、前記テープカッター本体が、紐を連結する連結部を備えたものであるテープカッター。
【請求項２】
前記テープカッター本体が、巻装状態のテープの外周側に配されるものであり、前記テープの内周側に配置した紐を前記テープカッター本体の前記連結部に係り合わせて当該テープを保持し得るように構成されている請求項１記載のテープカッター。
【請求項３】
前記テープカッター本体が、少なくとも一端部に前記連結部を有したものであり、前記連結部が、前記紐の途中を保持する保持部分と、前記紐を前記保持部分に案内する導入部分とを有するものである請求項２記載のテープカッター。
【請求項４】
前記連結部が、前記保持部分の紐案内方向と前記導入部分の紐案内方向とを相互に異ならせたものである請求項３記載のテープカッター。
【請求項５】
前記テープカッター本体が、相対動作可能な対をなすカバーにより巻装状態のテープを包持する形態のものであり、
前記連結部が、前記両カバーの相対動作に伴って前記紐を装脱することができる開状態と、前記紐の外れを禁止する閉状態とを選択的に採り得るように構成されたものである請求項１記載のテープカッター。
【請求項６】
前記テープカッター本体が、巻装状態のテープを回転可能に支持する芯部材を備えたものであり、
前記連結部が、前記芯部材の軸心部分に貫通孔を形成したものである請求項１記載のテープカッター。
【請求項７】
前記連結部が、前記貫通孔と、この貫通孔の内周に設けられ当該貫通孔に挿通させた紐の位置決めを行う位置決め要素とを備えたものである請求項６記載のテープカッター。
【発明の詳細な説明】
【技術分野】
【０００１】
本発明は、病院における看護現場等で使用されるテープカッターに関する。
【背景技術】
【０００２】
従来、粘着テープ等のテープを携帯するにあたって、その場でテープを切断して使用できるようにするための携帯型テープカッターが知られている（例えば、特許文献１を参照）。このような携帯型テープカッターは、通常はかばんやペンケース等に収納した状態で携帯し、使用時にかばん等から取り出して使用することが想定されている。
【０００３】
しかし、病院における看護現場等、かばんやペンケース等を持ち歩かないような状況においても、サージカルテープ等のテープを携帯し、その場でテープを切断して使用することがある。
【０００４】
その際に、テープカッターをすぐに取り出して使用できるようにすることが要望されているが、従来のかばん等に収納した状態で携帯されることが想定されているものの場合、ナースカートのトレー等に収納しておく他なく、必ずしもテープカッターをすぐに取り出せるとは限らないという問題が存在する。
【先行技術文献】
【特許文献】
【０００５】
【特許文献１】特開平１０−１５７９１１号公報
【発明の概要】
【発明が解決しようとする課題】
【０００６】
本発明は、テープカッターを必要な際にすぐに使用できるようにするための構成を実現するものである。
【課題を解決するための手段】
【０００７】
請求項１記載の発明に係るテープカッターは、テープを切断するための切断要素と、この切断要素を保持するテープカッター本体とを具備してなり、前記テープカッター本体が、紐を連結する連結部を備えたものである。
【０００８】
請求項２記載の発明に係るテープカッターは、請求項１記載の構成のものにおいて、前記テープカッター本体が、巻装状態のテープの外周側に配されるものであり、前記テープの内周側に配置した紐を前記テープカッター本体の前記連結部に係り合わせて当該テープを保持し得るように構成されているものである。
【０００９】
請求項３記載の発明に係るテープカッターは、請求項２記載の構成のものにおいて、前記テープカッター本体が、少なくとも一端部に前記連結部を有したものであり、前記連結部が、前記紐の途中を保持する保持部分と、前記紐を前記保持部分に案内する導入部分とを有するものである。
【００１０】
請求項４の発明に係るテープカッターは、請求項３記載の構成のものにおいて、前記連結部が、前記保持部分の紐案内方向と前記導入部分の紐案内方向とを相互に異ならせたものである。
【００１１】
請求項５の発明に係るテープカッターは、請求項１記載の構成のものにおいて、前記テープカッター本体が、相対動作可能な対をなすカバーにより巻装状態のテープを包持する形態のものであり、前記連結部が、前記両カバーの相対動作に伴って前記紐を装脱することができる開状態と、前記紐の外れを禁止する閉状態とを選択的に採り得るように構成されたものである。
【００１２】
請求項６の発明に係るテープカッターは、請求項１記載の構成のものにおいて、前記テープカッター本体が、巻装状態のテープを回転可能に支持する芯部材を備えたものであり、前記連結部が、前記芯部材の軸心部分に貫通孔を形成したものである。
【００１３】
請求項７の発明に係るテープカッターは、請求項６記載の構成のものにおいて、前記連結部が、前記貫通孔と、この貫通孔の内周に設けられ当該貫通孔に挿通させた紐の位置決めを行う位置決め要素とを備えたものである。
【発明の効果】
【００１４】
本発明によれば、テープカッターを必要な際にすぐに使用できるようにするための構成を実現することができる。
【図面の簡単な説明】
【００１５】
【図１】本発明の第一実施形態（その１）を示す斜視図。
【図２】同実施形態を示す正面図。
【図３】同実施形態を示す平面図。
【図４】同実施形態を示す右側面図。
【図５】同実施形態を示す左側面図。
【図６】同実施形態に係るテープカッターを示す底面図。
【図７】図６におけるＡ−Ａ線、Ｂ−Ｂ線、Ｃ−Ｃ線に沿った断面をそれぞれ示す図。
【図８】同実施形態を示すテープカッターの取付手順を示す説明図。
【図９】同実施形態を示すテープカッターの取付手順を示す説明図。
【図１０】本発明の第一実施形態（その２）を示す正面図。
【図１１】同実施形態を示す平面図。
【図１２】同実施形態を示す右側面図。
【図１３】同実施形態を示す左側面図。
【図１４】本発明の第一実施形態（その３）を示す正面図。
【図１５】同実施形態を示す平面図。
【図１６】同実施形態を示す右側面図。
【図１７】同実施形態を示す底面図。
【図１８】図１７におけるＤ−Ｄ線、Ｅ−Ｅ線、Ｆ−Ｆ線に沿った断面をそれぞれ示す図。
【図１９】本発明の第二実施形態を示す斜視図。
【図２０】同実施形態に係るテープカッターを示す正面図。
【図２１】同実施形態に係るテープカッターを示す平面図。
【図２２】同実施形態に係るテープカッターを示す右側面図。
【図２３】同実施形態に係るテープカッターを示す左側面図。
【図２４】同実施形態に係るテープカッターを示す底面図。
【図２５】図２４におけるＧ−Ｇ線、Ｈ−Ｈ線、Ｉ−Ｉ線に沿った断面をそれぞれ示す図。
【図２６】同実施形態に係るテープカッターを示す分解斜視図。
【図２７】本発明の第三実施形態を示す斜視図。
【図２８】同実施形態に係るテープカッターを示す正面図。
【図２９】同実施形態に係るテープカッターを示す平面図。
【図３０】同実施形態に係るテープカッターを示す底面図。
【図３１】同実施形態に係るテープカッターを示す左側面図。
【図３２】同実施形態に係るテープカッターを示す右側面図。
【図３３】同実施形態に係るテープカッターを示す分解斜視図。
【図３４】同実施形態に係るテープカッターの使用態様を示す説明図。
【図３５】同実施形態に係るテープカッターの使用態様を示す説明図。
【図３６】本発明の第四実施形態を示す斜視図。
【図３７】同実施形態を示す正面図。
【図３８】同実施形態を示す平面図。
【図３９】同実施形態を示す底面図。
【図４０】同実施形態を示す右側面図。
【図４１】同実施形態を示す左側面図。
【図４２】同実施形態に係るテープカッターを示す分解斜視図。
【発明を実施するための形態】
【００１６】
＜第一実施形態（その１）＞
以下、本発明の第一実施形態の一態様を、図１〜図９を参照しつつ説明する。
【００１７】
本実施形態は、本発明を病院における看護現場等で使用されるテープカッターＣ１に適用したものである。
【００１８】
このテープカッターＣ１は、図１〜図７に示すように、テープＴ１を切断するための切断要素たる刃Ａ１と、この刃Ａ１を保持するテープカッター本体Ａ２とを具備してなり、前記テープカッター本体Ａ２が、紐Ｓ１を連結する連結部Ａ３を備えたものである。
【００１９】
詳述すれば、刃Ａ１はテープカッター本体Ａ２と別体の金属製のものである。この刃Ａ１は、図３及び図５〜図７に示すように、刃線Ａ１ａがノコギリ状をなす通常のものであり、その刃線Ａ１ａを露出させた状態でインサート成形等によりテープカッター本体Ａ２に固設されている。
【００２０】
テープカッター本体Ａ２は、図１〜図５に示すように、巻装状態すなわち芯Ｔ１１に巻装された状態のテープＴ１の外周Ｔ１ａ側に配されるものであり、テープＴ１の内周Ｔ１ｂ（より正確には芯Ｔ１１の内周）側に配置した紐Ｓ１をテープカッター本体Ａ２の連結部Ａ３に係り合わせて当該テープＴ１を保持し得るように構成されている。すなわち、このテープカッター本体Ａ２は、巻装されたテープＴ１の内周Ｔ１ｂ側に掛け回された紐Ｓ１とこのテープカッター本体Ａ２とで巻装されたテープＴ１を挟持するようになっている。なお、紐Ｓ１は、断面略円形状をなすもので、両端をコネクタＮ１により着脱可能に接続されている。コネクタＮ１は、図示しない弾性爪を有し紐Ｓ１の一端を保持する雄部材Ｎ１１と、この雄部材Ｎ１１の弾性爪が弾性係合する図示しない係合部を有し紐Ｓ１の他端を保持する雌部材Ｎ１２とを備えた通常のものであり、一定以上の引き離し力を作用させると、雄部材Ｎ１１と雌部材Ｎ１２とが分離しうるようになっている。符号Ｔ１２は、テープＴ１のうち引き出されずに芯Ｔ１１に巻装されたままの部分である。
【００２１】
また、このテープカッター本体Ａ２は、例えば平面視長方形状のものであり、図５〜図７に示すように、一方の長辺Ａ２ａに沿った部位にテープＴ１に対応する幅寸法を有する切欠部Ａ２ｘを設け、この切欠部Ａ２ｘ内に刃Ａ１の刃線Ａ１ａを露出させているとともに、他方の長辺Ａ２ｂの両端部に連結部Ａ３をそれぞれ有したものである。各連結部Ａ３は、図３、図４、図６及び図７に示すように、紐Ｓ１の途中を保持する保持部分Ａ３ａと、紐Ｓ１を保持部分Ａ３ａに案内する導入部分Ａ３ｂとを有するものである。
【００２２】
保持部分Ａ３ａは、テープカッター本体Ａ２を貫通する孔状のものであり、紐Ｓ１の直径に対応した内径を有している。
【００２３】
導入部分Ａ３ｂは、紐Ｓ１を径方向に移動させつつ前記保持部分Ａ３ａに案内するためのもので、スリット状をなしており、その一端がテープカッター本体Ａ２の他方の長辺Ａ２ｂに解放されている。
【００２４】
この連結部Ａ３においては、図７に示すように、保持部分Ａ３ａに保持された紐Ｓ１が容易に外れるのを防止するために、保持部分Ａ３ａの紐案内方向Ｌ１と導入部分Ａ３ｂの紐案内方向Ｌ２とを相互に異ならせてある。
【００２５】
このテープカッターＣ１は、図８に示すように、まず紐Ｓ１を巻装状態のテープＴ１の内周Ｔ１ｂ側に巻き回しておき、しかる後に図９に示すようにその紐Ｓ１の途中を連結部Ａ３の導入部分Ａ３ｂを通して保持部分Ａ３ａに係合させることにより、紐Ｓ１との間で巻装されたテープＴ１を挟持することができるようにしたものである。
【００２６】
なお、図６は巻装状態のテープＴ１及び紐Ｓ１を想像線で示したテープカッターＣ１の底面図であり、図７の（Ａ）は、図６におけるＡ−Ａ線に沿った断面図、同図の（Ｂ）は、図６におけるＢ−Ｂ線に沿った断面図、同図の（Ｃ）は、図６におけるＣ−Ｃ線に沿った断面図である。
＜第一実施形態（その２）＞
以下、本実施形態の一態様に係るテープカッターＣ２について、図１０〜図１３を参照しつつ説明する。
【００２７】
このテープカッターＣ２は、前述した第一実施形態（その１）と同様に、また、図１０〜図１３に示すように、テープＴ２を切断するための切断要素たる刃Ｂ１と、この刃Ｂ１を保持するテープカッター本体Ｂ２とを具備してなり、前記テープカッター本体Ｂ２が、紐Ｓ２を連結する連結部Ｂ３を備えたものである。
【００２８】
詳述すれば、刃Ｂ１はテープカッター本体Ｂ２と別体の金属製のものである。この刃Ｂ１は、図１１及び図１３に示すように、刃線Ｂ１ａがノコギリ状をなす通常のものであり、その刃線Ｂ１ａを露出させた状態でインサート成形等によりテープカッター本体Ｂ２に固設されている。
【００２９】
テープカッター本体Ｂ２は、図１０〜図１３に示すように、巻装状態すなわち芯Ｔ２１に巻装された状態のテープＴ２の外周Ｔ２ａ側に配されるものであり、テープＴ２の内周Ｔ２ｂ（より正確には芯Ｔ２１の内周）側に配置した紐Ｓ２をテープカッター本体Ｂ２の連結部Ｂ３に係り合わせて当該テープＴ２を保持し得るように構成されている。すなわち、このテープカッター本体Ｂ２は、巻装されたテープＴ２の内周Ｔ２ｂ側に掛け回された紐Ｓ２とこのテープカッター本体Ｂ２とで巻装されたテープＴ２を挟持するようになっている。なお、紐Ｓ２は、断面略円形状をなすもので、両端を図示しないコネクタにより着脱可能に接続されている。コネクタは、図示しない弾性爪を有し紐Ｓ２の一端を保持する雄部材と、この雄部材の弾性爪が弾性係合する図示しない係合部を有し紐Ｓ２の他端を保持する雌部材とを備えた通常のものであり、一定以上の引き離し力を作用させると、雄部材と雌部材とが分離しうるようになっている。符号Ｔ２２は、テープＴ２のうち引き出されずに芯Ｔ２１に巻装されたままの部分である。
【００３０】
また、このテープカッター本体Ｂ２は、例えば平面視長方形状のものであり、図１０及び図１１に示すように、一方の長辺Ｂ２ａに沿った部位にテープＴ２に対応する幅寸法を有する切欠部Ｂ２ｘを設け、この切欠部Ｂ２ｘ内に刃Ａ２の刃線Ａ２ａを露出させているとともに、両短辺Ｂ２ｃの中央部に連結部Ｂ３をそれぞれ有したものである。各連結部Ｂ３は、紐Ｓ２の途中を保持する保持部分Ｂ３ａと、紐Ｓ２を保持部分Ｂ３ａに案内する導入部分Ｂ３ｂとを有するものである。
【００３１】
保持部分Ｂ３ａは、テープカッター本体Ｂ２を貫通する孔状のものであり、紐Ｓ２の直径に対応した内径を有している。
【００３２】
導入部分Ｂ３ｂは、紐Ｓ２を径方向に移動させつつ前記保持部分Ｂ３ａに案内するためのもので、外方に向かって開口幅が漸次増大する切欠溝状のもので、その外方端がテープカッター本体Ｂ２の短辺Ｂ２ｃに解放されている。
【００３３】
テープカッター本体Ｂ２の形状は、第一実施形態（その１）のテープカッター本体Ａ２に準じたものであるが、図１０、図１２及び図１３に示すように、巻装されたテープＴの外周Ｔａに接する側の面Ｂ２ｓにおける両端にテープＴ２の縁Ｔ２ｆに係合する鍔部Ｂ２ｔが形成されている点で第一実施形態（その１）のテープカッター本体Ａ２と異なっている。
＜第一実施形態（その３）＞
以下、本実施形態の一態様に係るテープカッターＣ３について、図１４〜図１８を参照しつつ説明する。
【００３４】
このテープカッターＣ３は、前述した第一実施形態（その１）及び（その２）と同様に、また、図１４〜図１８に示すように、テープＴ３を切断するための切断要素たる刃Ｄ１と、この刃Ｄ１を保持するテープカッター本体Ｄ２とを具備してなり、前記テープカッター本体Ｄ２が、紐Ｓ３を連結する連結部Ｄ３を備えたものである。
【００３５】
詳述すれば、刃Ｄ１はテープカッター本体Ｄ２と別体の金属製のものである。この刃Ｄ１は、図１７及び図１８に示すように、刃線Ｄ１ａがノコギリ状をなす通常のものであり、その刃線Ｄ１ａを露出させた状態でインサート成形等によりテープカッター本体Ｄ２に固設されている。
【００３６】
テープカッター本体Ｄ２は、図１４〜図１７に示すように、巻装状態すなわち芯Ｔ３１に巻装された状態のテープＴ３の外周Ｔ３ａ側に配されるものであり、テープＴ３の内周Ｔ３ｂ（より正確には芯Ｔ３１の内周）側に配置した紐Ｓ３をテープカッター本体Ｄ２の連結部Ｄ３に係り合わせて当該テープＴ３を保持し得るように構成されている。すなわち、このテープカッター本体Ｄ２は、巻装されたテープＴ３の内周Ｔ３ｂ側に掛け回された紐Ｓとこのテープカッター本体Ｄ２とで巻装されたテープＴ３を挟持するようになっている。なお、紐Ｓ３は、例えば断面略長方形状をなす扁平なもので、両端を図示しないコネクタにより着脱可能に接続されている。コネクタは、図示しない弾性爪を有し紐Ｓ３の一端を保持する雄部材と、この雄部材の弾性爪が弾性係合する図示しない係合部を有し紐Ｓ３の他端を保持する雌部材とを備えた通常のものであり、一定以上の引き離し力を作用させると、雄部材と雌部材とが分離しうるようになっている。符号Ｔ３２は、テープＴ３のうち引き出されずに芯Ｔ３１に巻装されたままの部分である。
【００３７】
また、このテープカッター本体Ｄ２は、例えば平面視長方形状のものであり、図１７及び図１８に示すように、一方の長辺Ｄ２ａに沿った部位にテープＴ３に対応する幅寸法を有する切欠部Ｄ２ｘを設け、この切欠部Ｄ２ｘ内に刃Ｄ１の刃線Ｄ１ａを露出させている。このテープカッター本体Ｄ２は、図１４及び図１８に示すように、底面Ｄ２ｓが巻装されたテープＴ３の外周Ｔ３ａに対応して凹陥しているだけでなく、上面Ｄ２ｔも中央が陥没するように凹陥している点で、全体がテープＴ１、Ｔ２の外周面に対応して湾曲している、第一実施形態（その１）及び同（その２）のテープカッター本体Ａ２、Ｂ２と異なっている。このテープカッター本体Ｄ２の底面Ｄ２ｓには、図１４、図１７及び図１８に示すように、巻装されたテープＴ３の縁Ｔ３ｆに外嵌するテープ位置決め突起Ｄ２１が設けられている。さらに、このテープカッター本体Ｄ２は、図１５〜図１８に示すように、一方の長辺Ｄ２ａの一端部及び他方の長辺Ｄ２ｂの他端部に連結部Ｄ３をそれぞれ有している。各連結部Ｄ３は、紐Ｓ３の途中を保持する保持部分Ｄ３ａと、紐Ｓ３を保持部分Ｄ３ａに案内する導入部分Ｄ３ｂとを有するものである。
【００３８】
保持部分Ｄ３ａは、テープカッター本体Ｄ２を貫通するスリット状のものであり、紐Ｓ３の断面形状に対応した形状を有している。
【００３９】
導入部分Ｄ３ｂは、紐Ｓ３を径方向に移動させつつ前記保持部分Ｄ３ａに案内するためのもので、スリット状をなしており、その一端がテープカッター本体Ｄ２の長辺Ｄ２ａ、Ｄ２ｂに解放されている。
【００４０】
この連結部Ｄ３においては、図１８に示すように、保持部分Ｄ３ａに保持された紐Ｓ３が容易に外れるのを防止するために、保持部分Ｄ３ａの紐案内方向Ｌ３と導入部分Ｄ３ｂの紐案内方向Ｌ４とを相互に異ならせてある。
【００４１】
なお、図１７は巻装状態のテープＴを想像線で示したテープカッターＣ３の底面図であり、図１８の（Ｄ）は、図１７におけるＤ−Ｄ線に沿った断面図、同図の（Ｅ）は、図１７におけるＥ−Ｅ線に沿った断面図、同図の（Ｆ）は、図１７におけるＦ−Ｆ線に沿った断面図である。
【００４２】
以上説明した第一実施形態の構成によれば、紐Ｓ１、Ｓ２、Ｓ３を連結してテープカッターＣ１、Ｃ２、Ｃ３をぶら下げることができるので、看護師の腰やナースカートの手摺などにテープカッターＣ１、Ｃ２、Ｃ３を保持させておくことができる。そのため、これらのテープカッターＣ１、Ｃ２、Ｃ３を必要が生じた場合にすぐに使用することができる。
【００４３】
また、第一実施形態の構成によれば、テープカッターＣ１、Ｃ２、Ｃ３自体にテープＴ１、Ｔ２、Ｔ３を保持するための保持部分を設ける必要がないため、テープカッターＣ１、Ｃ２、Ｃ３全体の小型化及び構造の単純化を図ることができる。
【００４４】
さらに、テープカッター本体Ａ２、Ｂ２、Ｄ２が、両端部に連結部Ａ３、Ｂ３、Ｄ３を有したものであり、これら連結部Ａ３、Ｂ３、Ｄ３が、紐Ｓ１、Ｓ２、Ｓ３の途中を保持する保持部分Ａ３ａ、Ｂ３ａ、Ｄ３ａと、この保持部分Ａ３ａ、Ｂ３ａ、Ｄ３ａに紐Ｓ１、Ｓ２、Ｓ３を案内する導入部分Ａ３ｂ、Ｂ３ｂ、Ｄ３ｂとを有するので、導入部分Ａ３ｂ、Ｂ３ｂ、Ｄ３ｂから紐Ｓ１、Ｓ２、Ｓ３を径方向に移動させて保持部分Ａ３ａ、Ｂ３ａ、Ｄ３ａに係合させることができるため、紐Ｓの挿脱を容易に行うことができる。その上、テープカッターＣ１、Ｃ２、Ｃ３の構造をシンプルなものにすることもできる。
【００４５】
そして、（その１）及び（その３）のテープカッターＣ１、Ｃ３の連結部Ａ３、Ｄ３は、保持部分Ａ３ａ、Ｄ３ａの紐案内方向Ｌ１、Ｌ３と導入部分Ａ３ｂ、Ｄ３ｂの紐案内方向Ｌ２、Ｌ４とを相互に異ならせたものであるので、保持部分Ａ３ａ、Ｄ３ａに保持された紐Ｓ１、Ｓ３が容易に外れることを防止又は抑制することができる。
＜第二実施形態＞
以下、本発明の第二実施形態を、図１９〜図２６を参照しつつ説明する。
【００４６】
本実施形態は、本発明を病院における看護現場等で使用されるテープカッターＣ４に適用したものである。
【００４７】
このテープカッターＣ４は、図１９〜図２６に示すように、テープＴ４を切断するための切断要素たる刃Ｅ１と、この刃Ｅ１を保持するテープカッター本体Ｅ２とを具備してなり、前記テープカッター本体Ｅ２が、紐Ｓ４を連結する連結部Ｅ３を備えたものである。
【００４８】
詳述すれば、刃Ｅ１はテープカッター本体Ｅ２と別体の金属製のものである。この刃Ｅ１は、図２３〜図２６に示すように、刃線Ｅ１ａがノコギリ状をなす通常のものであり、その刃線Ｅ１ａを露出させた状態でテープカッター本体Ｅ２に保持されている。
【００４９】
テープカッター本体Ｅ２は、図１９に示すように、巻装状態すなわち芯Ｔ４１に巻装された状態のテープＴ４の外周Ｔ４ａ側に配されるものであり、テープＴ４の内周Ｔ４ｂ（より正確には芯Ｔ４１の内周）側に配置した紐Ｓ４をテープカッター本体Ｅ２の連結部Ｅ３に係り合わせて当該テープＴ４を保持し得るように構成されている。すなわち、このテープカッター本体Ｅ２は、巻装されたテープＴ４の内周Ｔ４ｂ側に掛け回された紐Ｓ４とこのテープカッター本体Ｅ２とで巻装されたテープＴ４を挟持するようになっている。なお、紐Ｓ４は、例えば断面略長方形状をなす扁平なもので、図１９に示すように、両端をコネクタＮ４により着脱可能に接続されている。符号Ｔ４２は、テープＴ４のうち引き出されずに芯Ｔ４１に巻装されたままの部分である。
【００５０】
コネクタＮ４は、テープカッター本体Ｅ２の一端部に配設されており、図１９及び図２６に示すように、弾性爪Ｎ４３を有し紐Ｓ４の一端を保持する雄部材Ｎ４１と、この雄部材Ｎ４１の弾性爪Ｎ４３が弾性係合する係合部Ｎ４４を有し紐Ｓ４の他端を保持する雌部材Ｎ４２とを備えたものであり、一定以上の引き離し力を作用させると、雄部材Ｎ４１と雌部材Ｎ４２とが分離しうるようになっている。雄部材Ｎ４１は、紐Ｓ４の一端折り返し部Ｓ４１を保持するもので、その先端に弾性爪Ｎ４３を備えており、テープカッター本体Ｅ２と別体をなしている。雌部材Ｎ４２は、紐Ｓ４の他端折り返し部Ｓ４２を保持する紐保持部材Ｎ４５と、その先端に前記弾性爪Ｎ４３が係合する係合部Ｎ４４を備えた係合部材Ｎ４６とを具備したもので、後述するようにテープカッター本体Ｅ２と一体をなしている。
【００５１】
また、このテープカッター本体Ｅ２は、例えば平面視長方形状のものであり、図２３〜図２５に示すように、一方の長辺Ｅ２ａに沿った部位にテープＴ４に対応する幅寸法を有する切欠部Ｅ２ｘを設け、この切欠部Ｅ２ｘ内に刃Ｅ１の刃線Ｅ１ａを露出させている。具体的に説明すれば、このテープカッター本体Ｅ２は、図２２〜図２６に示すように、巻装されたテープＴ４の外周Ｔ４ａに添接される下部材Ｅ２１と、この下部材Ｅ２１の外面Ｅ２１ａに装着される上部材Ｅ２２とを備えたもので、刃Ｅ１は下部材Ｅ２１と上部材Ｅ２２とに挟持されている。これら下部材Ｅ２１と上部材Ｅ２２との結合は、下部材Ｅ２１に設けた係合爪Ｅ２３を上部材Ｅ２２に設けた係合段部Ｅ２４に係合させることにより行っている。下部材Ｅ２１の長手方向一端部にはコネクタＮ４の紐保持部材Ｎ４５が一体に形成されているとともに、上部材Ｅ２２の長手方向一端部にはコネクタＮ４の係合部材Ｎ４６が一体に形成されている。また、図２１〜図２３及び図２５〜図２６に示すように、上部材Ｅ２２の他方の長辺Ｅ２ｂの他端部には連結部Ｅ３を有している。連結部Ｅ３は、紐Ｓ４の途中を保持する保持部分Ｅ３ａと、紐Ｓ４を保持部分Ｅ３ａに案内する導入部分Ｅ３ｂとを有するものである。
【００５２】
保持部分Ｅ３ａは、テープカッター本体Ｅ２を貫通するスリット状のものであり、紐Ｓ４の断面形状に対応した形状を有している。
【００５３】
導入部分Ｅ３ｂは、紐Ｓ４を径方向に移動させつつ前記保持部分Ｅ３ａに案内するためのもので、スリット状をなしており、その一端がテープカッター本体Ｅ２の長辺Ｅ２ａに解放されている。
【００５４】
この連結部Ｅ３においては、保持部分Ｅ３ａに保持された紐Ｓ４が容易に外れるのを防止するために、図２５に示すように、保持部分Ｅ３ａの紐案内方向Ｌ５と導入部分Ｅ３ｂの紐案内方向Ｌ６とを相互に異ならせてある。
【００５５】
なお、図２４はテープカッターＣ４の底面図であり、図２５の（Ｇ）は、図２４におけるＧ−Ｇ線に沿った断面図、同図の（Ｈ）は、図２４におけるＨ−Ｈ線に沿った断面図、同図の（Ｉ）は、図２４におけるＩ−Ｉ線に沿った断面図である。
【００５６】
以上説明した第二実施形態の構成によれば、紐Ｓ４を連結してテープカッターＣ４をぶら下げることができるので、看護師の腰やナースカートの手摺などにテープカッターＣ４を保持させておくことができる。そのため、このテープカッターＣ４を必要が生じた場合にすぐに使用することができる。
【００５７】
また、第二実施形態の構成によれば、テープカッターＣ４自体にテープＴ４を保持するための保持部分を設ける必要がないため、テープカッターＣ４全体の小型化及び構造の単純化を図ることができる。
【００５８】
さらに、テープカッター本体Ｅ２が、一端部に連結部Ｅ３を有したものであり、この連結部Ｅ３が、紐Ｓ４の途中を保持する保持部分Ｅ３ａと、この保持部分Ｅ３ａに紐Ｓ４を案内する導入部分Ｅ３ｂとを有するので、導入部分Ｅ３ｂから紐Ｓ４を径方向に移動させて保持部分Ｅ３ａに係合させることができるため、紐Ｓ４の挿脱を容易に行うことができる。
【００５９】
そして、本実施形態のテープカッターＣ４の連結部Ｅ３は、保持部分Ｅ３ａの紐案内方向Ｌ５と導入部分Ｅ３ｂの紐案内方向Ｌ６とを相互に異ならせたものであるので、保持部分Ｅ３ａに保持された紐Ｓ４が容易に外れることを防止又は抑制することができる。
【００６０】
また、この実施形態のテープカッターＣ４は、紐Ｓ４の端部同士を接続するためのコネクタＮ４としての機能をも備えているため、別途紐Ｓ４の端部同士を接続するための格別なコネクタを設けることや、紐Ｓ４の端部同士を結ぶ等の操作を行うことが不要となる。
＜第三実施形態＞
以下、本発明の第三実施形態を、図２７〜図３５を参照しつつ説明する。
【００６１】
本実施形態は、本発明を病院における看護現場等で使用されるテープカッターＣ５に適用したものである。
【００６２】
このテープカッターＣ５は、図２７〜図３３に示すように、テープＴ５を切断するための切断要素たる刃Ｆ１と、この刃Ｆ１を保持するテープカッター本体Ｆ２とを具備してなり、前記テープカッター本体Ｆ２が、紐Ｓ５を連結する連結部Ｆ３を備えたものである。
【００６３】
詳述すれば、刃Ｆ１はテープカッター本体Ｆ２と別体の金属製のものである。この刃Ｆ１は、図３３に示すように、刃線Ｆ１ａがノコギリ状をなす通常のものであり、その刃線Ｆ１ａを露出させた状態でインサート成形等によりテープカッター本体Ｆ２に固設されている。
【００６４】
テープカッター本体Ｆ２は、図２７、図２８、図３４及び図３５に示すように、相対動作可能な対をなすカバーＦ２１、Ｆ２２により巻装状態すなわち芯Ｔ５１に巻装された状態のテープＴ５を包持する形態のものであり、前記連結部Ｆ３が、前記両カバーＦ２１、Ｆ２２の相対動作に伴って紐Ｓ５を装脱することができる、図３５に示すような開状態（Ｏ）と、紐Ｓ５の外れを禁止する、図２７、図２８及び図３４に示すような閉状態（Ｃ）とを選択的に採り得るように構成されたものである。符号Ｔ５２は、テープＴ５のうち引き出されずに芯Ｔ５１に巻装されたままの部分である。
【００６５】
具体的には、テープカッター本体Ｆ２は、図２７〜図３３に示すように、刃Ｆ１を保持した第一のカバーＦ２１と、この第一のカバーＦ２１に対して相対回動可能な第二のカバーＦ２２とを具備してなる。
【００６６】
第一のカバーＦ２１は、巻装されたテープＴ５の一側面を覆う側壁Ｆ２１１と、この側壁Ｆ２１１の直線縁Ｆ２１４から内面側に突出させた第一の外壁Ｆ２１２と、側壁Ｆ２１１の湾曲縁Ｆ２１５から内面側に突出させた第二の外壁Ｆ２１３とを備えている。側壁Ｆ２１１の中央近傍部からは、巻装されたテープＴ５を保持する芯部材Ｆ４を構成する外装芯材Ｆ４１を内面側に突出させて設けてある。第一の外壁Ｆ２１２には、後述する連結部Ｆ３を構成する直線壁Ｆ３１が連続させて延設されているとともに、第二の外壁Ｆ２１３の先端部には、刃Ｆ１が保持されている。
【００６７】
第二のカバーＦ２２は、巻装されたテープＴ５の他側面を覆う側壁Ｆ２２１と、この側壁Ｆ２２１の外縁Ｆ２２３から内面側に突出させた外壁Ｆ２２２とを備えている。側壁Ｆ２２１は、内部のテープＴ５を視認可能にするための透明な透明壁部Ｆ２２４と、不透明な不透明壁部Ｆ２２５とを備えたものであり、透明壁部Ｆ２２４の内面には外装芯材Ｆ４１の内周Ｆ４１ａに嵌合して芯部材Ｆ４を構成する内装芯材Ｆ４２が突設されている。なお、図３３では、透明壁部Ｆ２２４にパターンを施してその存在領域を明示している。外壁Ｆ２２２には、後述する連結部Ｆ３を構成する湾曲壁Ｆ３２が連続させて延設されている。
【００６８】
連結部Ｆ３は、第一のカバーＦ２１に設けられた直線壁Ｆ３１と第二のカバーＦ２２に設けられた湾曲壁Ｆ３２とを具備してなるもので、図３４に示す閉状態（Ｃ）では、直線壁Ｆ３１と湾曲壁Ｆ３２とが突き合って閉鎖された紐挿通空間Ｆ３ｓが形成されるようになっている。図３５に示す開状態（Ｏ）では、直線壁Ｆ３１と湾曲壁Ｆ３２とが離間し紐挿通空間Ｆ３ｓが解放されるようになっている。また、この開状態（Ｏ）では、刃Ｆ１を保持した直線壁Ｆ３１が外部に露出することになるため、テープＴ５の引き出し端部Ｔ５ｂをその刃Ｆ１により順次切断することができる。なお、湾曲壁Ｆ３２の先端近傍部には補助連結部Ｆ５を設けてあり、この補助連結部Ｆ５に図示しないストラップ等を装着することができるようにしてある。
【００６９】
以上説明した第三実施形態の構成によれば、紐Ｓ５を連結してテープカッターＣ５をぶら下げることができるので、看護師の腰やナースカートの手摺などにテープカッターＣ５を保持させておくことができる。そのため、このテープカッターＣ５を必要が生じた場合にすぐに使用することができる。
【００７０】
また、本実施形態の構成によれば、テープカッター本体Ｆ２が、相対動作可能な対をなすカバーＦ２１、Ｆ２２により巻装状態のテープＴ５を包持する形態のものであるため、テープＴ５が汚れること、特にテープＴ５の側面にゴミ等が付着することを効果的に抑制することができる。また、連結部Ｆ３が、両カバーＦ２１、Ｆ２２の相対動作に伴って紐Ｓ５を装脱することができる開状態（Ｏ）と、紐Ｓ５の外れを禁止する閉状態（Ｃ）とを選択的に採り得るように構成されたものであるため、テープＴ５を露出しないように保護しつつ紐Ｓ５の挿脱を容易に行うことができる。さらに、テープＴ５の使用時には紐Ｓ５から取り外しておくようにもできる。
＜第四実施形態＞
以下、本発明の第四実施形態を、図３６〜図４２を参照しつつ説明する。
【００７１】
本実施形態は、本発明を病院における看護現場等で使用されるテープカッターＣ６に適用したものである。
【００７２】
このテープカッターＣ６は、図３６〜図４２に示すように、テープＴ６を切断するための切断要素たる刃Ｇ１と、この刃Ｇ１を保持するテープカッター本体Ｇ２とを具備してなり、前記テープカッター本体Ｇ２が、紐Ｓ６を連結する連結部Ｇ３を備えたものである。
【００７３】
詳述すれば、刃Ｇ１はテープカッター本体Ｇ２と別体の金属製のものである。この刃Ｇ１は、図３６、図３８、図４１および図４２に示すように、刃線Ｇ１ａがノコギリ状をなす通常のものであり、その刃線Ｇ１ａを露出させた状態でテープカッター本体Ｇ２に保持されている。
【００７４】
テープカッター本体Ｇ２は、図３６、図３７及び図４０〜図４２に示すように、巻装状態すなわち芯Ｔ６１に巻装された状態のテープＴ６を回転可能に支持する芯部材Ｇ２０を具備するものであり、前記連結部Ｇ３が、前記芯部材Ｇ２０の軸心部分に形成された貫通孔Ｇ３１と、この貫通孔Ｇ３１の内周Ｇ３１ａに設けられ当該貫通孔Ｇ３１に挿通させた紐Ｓ６の位置決めを行う位置決め要素Ｇ３２とを備えたものである。符号Ｔ６２は、テープＴ６のうち引き出されずに芯Ｔ６１に巻装されたままの部分である。符号Ｔ６３は、テープＴ６の引き出し端部である。
【００７５】
具体的には、テープカッター本体Ｇ２は、図３６及び図３８〜図４２に示すように、刃Ｇ１を保持した第一のカバーＧ２１と、この第一のカバーＧ２１との間で巻装状態のテープＴ６を回転可能に包持する第二のカバーＧ２２とを具備してなる。
【００７６】
第一のカバーＧ２１は、主に図４２に示すように、巻装されたテープＴ６の一側面を覆う側壁Ｇ２１１と、この側壁Ｇ２１１の外縁から内面側に突出させた縁取り壁Ｇ２１２とを備えている。側壁Ｇ２１１は、巻装されたテープＴ６の一側面を覆う円板部分Ｇ２１３と、この円板部分Ｇ２１３から図３６、図３７および図４２における上方に延出する延出部分Ｇ２１４とを有する。円板部分Ｇ２１３の中央部には、巻装されたテープＴ６を保持する芯部材Ｇ２０を構成する外装芯材Ｇ２０１を内面側に突出させて設けてある。延出部分Ｇ２１４の先端近傍には、刃Ｇ１を保持するための刃保持部Ｇ２１５を内面側に突出させて設けてある。この刃保持部Ｇ２１５は、別体に設けた刃押さえＧ２１６との間で刃Ｇ１を挟持する。図４０〜図４２に示すように、この刃保持部Ｇ２１５は上向き面の上に刃Ｇ１を載置し、刃Ｇ１の上に刃押さえＧ２１６を配してこれら刃保持部Ｇ２１５と刃押さえＧ２１６とにより刃Ｇ１を挟持するようにしている。
【００７７】
第二のカバーＧ２２は、主に図４２に示すように、巻装されたテープＴ６の他側面を覆う側壁Ｇ２２１と、この側壁Ｇ２２１の外縁から内面側に突出させた縁取り壁Ｇ２２２とを備えている。側壁Ｇ２２１は、巻装されたテープＴ６の一側面を覆う円板部分Ｇ２２３と、この円板部分Ｇ２２３から図３６、図３７および図４２における上方に延出する延出部分Ｇ２２４とを有する。円板部分Ｇ２２３の中央部には、外装芯材Ｇ２０１の内周に嵌合して芯部材Ｇ２０を構成する内装芯材Ｇ２０２を内面側に突出させて設けてある。
【００７８】
芯部材Ｇ２０は、第一のカバーＧ２１に設けた外装芯材Ｇ２０１に第二のカバーＧ２２に設けた内装芯材Ｇ２０２を挿入して形成しており、この芯部材Ｇ２０の軸心部に貫通孔Ｇ３１が形成されている。
【００７９】
連結部Ｇ３は、図３７に示すように、芯部材Ｇ２０に形成した貫通孔Ｇ３１と、この貫通孔Ｇ３１の内周Ｇ３１ａに設けられ当該貫通孔Ｇ３１に挿通させた紐Ｓ６の位置決めを行う位置決め要素Ｇ３２とを備えている。位置決め要素Ｇ３２は、貫通孔Ｇ３１の内周Ｇ３１ａに設けた対をなす突条であり、これら突条Ｇ３２間に紐Ｓ６を係合させて位置決めできるようにしてある。
【００８０】
以上説明した第四実施形態の構成によれば、紐Ｓ６を連結してテープカッターＣ６をぶら下げることができるので、看護師の腰やナースカートの手摺などにテープカッターＣ６を保持させておくことができる。そのため、このテープカッターＣ６を必要が生じた場合にすぐに使用することができる。
【００８１】
また、本実施形態の構成では、テープカッター本体Ｇ２が、巻装状態のテープＴ６を回転可能に支持する芯部材Ｇ２０を備えたものであり、前記連結部Ｇ３が、前記芯部材Ｇ２０の軸心部分に貫通孔Ｇ３１を形成したものであるので、コンパクトさを損ねることなしに紐Ｓ６と巻装状態のテープＴ６とが直接接触するのを防止することができる。
【００８２】
さらに、連結部Ｇ３が、貫通孔Ｇ３１と、この貫通孔Ｇ３１の内周Ｇ３１ａに設けられ当該貫通孔Ｇ３１に挿通させた紐Ｓ６の位置決めを行う位置決め要素Ｇ３２とを備えているので、あらなじめ想定した姿勢でテープカッター本体Ｇ２を安定して懸吊しておくことができる。すなわち、紐Ｓ６とテープカッターＣ６との相対位置が固定されるので、テープカッターＣ６の刃Ｇ１の紐Ｓ６に対する相対位置も固定される。
【００８３】
なお、本発明は以上に述べた実施形態に限らない。
【００８４】
例えば、切断要素は、金属製の刃に限らず、テープカッター本体に一体に形成された樹脂製のものにしてもよい。
【００８５】
また、金属製の刃を用いる場合でも、インサート成形によりテープカッター本体に一体に設けるものや、テープカッター本体の構成部品間に挟持させるもの等、取付態様も種々変形が可能である。
【００８６】
さらに、連結部に連結される紐も、断面形状が円形のものや、扁平なもの等、種々のものを用いることができる。
【００８７】
加えて、病院における看護現場に使用されるサージカルテープ以外のテープを用いてもよい。
【００８８】
そして、前述した第四実施形態では、貫通孔の内周に設けた対をなす突条を利用して位置決め要素を形成しているが、貫通孔の内周に形成した溝を利用して位置決め要素を形成してもよい。この場合、貫通孔の内周に形成した溝に紐を係合させて位置決めを行うこととなる。また、前述した第四実施形態において、刃保持部の上向き面の上に刃を配置する態様に代え、刃保持部の下向き面の下に刃を配置し、そのさらに下に刃押さえを配してこれら刃保持部と刃押さえとにより刃を挟持するようにしてもよい。この場合、刃押さえが自重により刃保持部から離脱しないように、また、安定して刃を挟持できるように、刃押さえを刃保持部に係止するための係止部を設けるか、または刃押さえを刃保持部に止着具を介して止着することとなる。
【００８９】
その他、本発明の趣旨を損ねない範囲で種々に変形してよい。
【符号の説明】
【００９０】
Ｃ１〜Ｃ６…テープカッター
Ａ１、Ｂ１、Ｄ１、Ｅ１、Ｆ１、Ｇ１…切断要素（刃）
Ａ２、Ｂ２、Ｄ２、Ｅ２、Ｆ２、Ｇ２…テープカッター本体
Ａ３、Ｂ３、Ｄ３、Ｅ３、Ｆ３、Ｇ３…連結部
Ｓ１〜Ｓ６…紐
【図１】
2020007113.tif 000003
【図２】
2020007113.tif 000004
【図３】
2020007113.tif 000005
【図４】
2020007113.tif 000006
【図５】
2020007113.tif 000007
【図６】
2020007113.tif 000008
【図７】
2020007113.tif 000009
【図８】
2020007113.tif 000010
【図９】
2020007113.tif 000011
【図１０】
2020007113.tif 000012
【図１１】
2020007113.tif 000013
【図１２】
2020007113.tif 000014
【図１３】
2020007113.tif 000015
【図１４】
2020007113.tif 000016
【図１５】
2020007113.tif 000017
【図１６】
2020007113.tif 000018
【図１７】
2020007113.tif 000019
【図１８】
2020007113.tif 000020
【図１９】
2020007113.tif 000021
【図２０】
2020007113.tif 000022
【図２１】
2020007113.tif 000023
【図２２】
2020007113.tif 000024
【図２３】
2020007113.tif 000025
【図２４】
2020007113.tif 000026
【図２５】
2020007113.tif 000027
【図２６】
2020007113.tif 000028
【図２７】
2020007113.tif 000029
【図２８】
2020007113.tif 000030
【図２９】
2020007113.tif 000031
【図３０】
2020007113.tif 000032
【図３１】
2020007113.tif 000033
【図３２】
2020007113.tif 000034
【図３３】
2020007113.tif 000035
【図３４】
2020007113.tif 000036
【図３５】
2020007113.tif 000037
【図３６】
2020007113.tif 000038
【図３７】
2020007113.tif 000039
【図３８】
2020007113.tif 000040
【図３９】
2020007113.tif 000041
【図４０】
2020007113.tif 000042
【図４１】
2020007113.tif 000043
【図４２】
2020007113.tif 000044